(57)【特許請求の範囲】
【請求項１】
複数の対象物探索装置に各々Ｕｎｉｆｏｒｍ  Ｒｅｓｏｕｒｃｅ  Ｌｏｃａｔｏｒ（ＵＲＬ）を割り当てて制御する検索制御装置と、  タグＩＤ、及び、前記ＵＲＬに組み込み可能な所定の限定名、を記憶した無線タグ回路素子が付された対象物の検索要求を行う端末装置と、  各前記対象物の無線タグ回路素子との間で情報の送受信を行う前記複数の対象物探索装置と、を有し、  前記検索制御装置は、  前記複数の対象物探索装置のうちから、前記端末装置の検索要求に応じた所望の対象物に付された無線タグ回路素子との間で情報の送受信を行った特定の対象物探索装置を探索する探索手段と、  前記探索手段によって前記特定の対象物探索装置が探索された場合、前記特定の対象物探索装置のＵＲＬと、前記探索手段による送受信で前記無線タグ回路素子から取得された前記限定名と、により新たなＵＲＬを生成し、その生成したＵＲＬを前記所望の対象物に対し動的に付与する動的付与手段と、  前記動的付与手段によって動的に付与されたＵＲＬの元となる前記特定の対象物探索装置のＵＲＬに、前記所望の対象物に割り当てられた当該対象物のＩＤを関連付けて管理する関連付け管理手段と、  前記端末装置の検索要求に応じた所望の対象物が、前記関連付け管理手段において管理されている対象物である場合、前記特定の対象物探索装置のＵＲＬに基づいて、前記特定の対象物探索装置に、前記所望の対象物にアクセスさせるアクセス制御手段と、を有するとともに、  前記端末装置の検索要求に応じた所望の対象物が、前記関連付け管理手段において管理されていない対象物である場合、前記探索手段に、前記所望の対象物の無線タグ回路素子との間で情報の送受信が可能な新たな特定の対象物探索装置を探索させ、  前記探索手段によって前記検索要求に応じた所望の対象物に応じた前記新たな特定の対象物探索装置を探索できた場合、前記新たな特定の対象物探索装置に基づいて前記関連付け管理手段が管理する内容を更新するとともに、前記関連付け管理手段が管理する内容を更新した場合、前記内容を前記端末装置に通知し、  前記複数の対象物探索装置に、各々定期的に前記対象物を探索させ、  かつ、前記関連付け管理手段は、  前記検索要求に応じた所望の対象物に対応させて、更新前の前記特定の対象物探索装置と、前記新たな特定の対象物探索装置とを対応付けて管理しておくことを特徴とする対象物検索システム。
【請求項２】
請求項１記載の対象物検索システムにおいて、
前記端末装置は、
前記動的付与手段により付与されたＵＲＬを用いて前記特定の対象物探索装置にアクセスし、
アクセスされた前記特定の対象物探索装置は、
前記アクセス時に使用されたＵＲＬから前記限定名を抽出し、その抽出した限定名に対応したタグＩＤを取得する取得手段と、
前記取得手段により取得されたタグＩＤを用いて前記無線タグ回路素子に対する読み取りを行う読み取り手段と、
を有することを特徴とする対象物検索システム。
【請求項３】
請求項２記載の対象物検索システムにおいて、
前記検索制御装置は、
各前記対象物に対応させた関連情報を管理する関連情報管理手段と、
前記特定の対象物探索装置の前記読み取り手段により読み取られたタグＩＤを用いて前記関連情報管理手段を検索し、対応する前記所望の対象物に関する関連情報を前記関連情報管理手段から前記端末装置に対して提供する情報提供手段と
を有することを特徴とする対象物検索システム。
【請求項４】
複数の対象物探索装置に対し各々Ｕｎｉｆｏｒｍ  Ｒｅｓｏｕｒｃｅ  Ｌｏｃａｔｏｒ（ＵＲＬ）を割り当てて制御する検索制御装置であって、
タグＩＤ、及び、前記ＵＲＬに組み込み可能な所定の限定名、を記憶した無線タグ回路素子がそれぞれ付された各対象物の、前記無線タグ回路素子との間で情報の送受信を行う複数の対象物探索装置のうちから、前記対象物の検索要求に応じた所望の対象物に付された前記無線タグ回路素子との間で情報の送受信を行った特定の対象物探索装置を探索する探索手段と、
前記探索手段によって前記特定の対象物探索装置が探索された場合、前記特定の対象物探索装置のＵＲＬと、前記探索手段による送受信で前記無線タグ回路素子から取得された前記限定名と、により新たなＵＲＬを生成し、その生成したＵＲＬを前記所望の対象物に対し動的に付与する動的付与手段と、
前記動的付与手段によって動的に付与されたＵＲＬの元となる前記特定の対象物探索装置のＵＲＬに、前記所望の対象物に割り当てられた当該対象物のＩＤを関連付けて管理する関連付け管理手段と、
前記検索要求に応じた所望の対象物が、前記関連付け管理手段において管理されている対象物である場合、前記特定の対象物探索装置のＵＲＬに基づいて、前記特定の対象物探索装置に、前記所望の対象物にアクセスさせるアクセス制御手段と、を有するとともに、
前記検索要求に応じた所望の対象物が、前記関連付け管理手段において管理されていない対象物である場合、前記探索手段に、前記所望の対象物の無線タグ回路素子との間で情報の送受信が可能な新たな特定の対象物探索装置を探索させ、
前記探索手段によって前記検索要求に応じた所望の対象物に応じた前記新たな特定の対象物探索装置を探索できた場合、前記新たな特定の対象物探索装置に基づいて前記関連付け管理手段が管理する内容を更新するとともに、前記関連付け管理手段が管理する内容を更新した場合、前記内容を前記無線タグ回路素子が付された前記対象物の検索要求を行う端末装置に通知し、
前記複数の対象物探索装置に、各々定期的に前記対象物を探索させる
ことを特徴とする検索制御装置。
【請求項５】
検索制御装置により複数の対象物探索装置に各々割り当てられたＵｎｉｆｏｒｍ  Ｒｅｓｏｕｒｃｅ  Ｌｏｃａｔｏｒ（ＵＲＬ）に組み込み可能な所定の限定名、及び、タグＩＤを記憶した無線タグ回路素子が付された対象物の、前記無線タグ回路素子との間で、定期的に情報の送受信を行うことで前記対象物を探索する前記対象物探索装置であって、
端末装置の検索要求に応じた所望の対象物に付された無線タグ回路素子との間で情報の送受信を行った場合、特定の対象物探索装置とされるとともに、その特定の対象物探索装置とされたときのＵＲＬと、前記送受信で前記無線タグ回路素子から取得された前記限定名と、により新たなＵＲＬが前記検索制御装置により生成されるように構成され、かつ
前記端末装置の検索要求に応じた所望の対象物に割り当てられた当該対象物のＩＤが、前記特定の対象物探索装置のＵＲＬと関連付けられて前記検索制御装置により管理されている場合には、前記特定の対象物探索装置のＵＲＬが指定されることで前記所望の対象物にアクセスし、前記端末装置の検索要求に応じた所望の対象物のＩＤが、前記特定の対象物探索装置のＵＲＬと関連付けられて前記検索制御装置により管理されていない場合には、前記所望の対象物の無線タグ回路素子との間で情報の送受信が可能な別の特定の対象物探索装置が探索されるように構成され、かつ
前記検索制御装置が前記別の特定の対象物探索装置を探索できた場合、前記別の特定の対象物探索装置に基づいて前記管理される内容が更新されるとともに前記内容が前記端末装置に通知され、前記検索要求に応じた所望の対象物に対応させて更新前の前記特定の対象物探索装置と前記別の特定の対象物探索装置とが対応付けて前記検索制御装置により管理されるように構成され、
かつ、
前記新たに生成されたＵＲＬを用いて前記端末装置により前記特定の対象物探索装置としてアクセスされた場合に、前記アクセス時に使用されたＵＲＬから前記限定名を抽出し、その抽出した限定名に対応したタグＩＤを取得する取得手段と、
前記取得手段により取得されたタグＩＤを用いて前記無線タグ回路素子に対する読み取りを行う読み取り手段と、
を有することを特徴とする対象物探索装置。
【発明の詳細な説明】
【技術分野】
【０００１】
本発明は、対象物の配置場所を検索する対象物検索システム及び検索制御装置並びに対象物探索装置に関する。
【背景技術】
【０００２】
近年、検索エンジンなどのように、所望の検索キーを設定した上で、その検索キーに関連する情報をインターネット上で検索することができるシステムが存在している。このような検索エンジンによれば、所望の検索キーに関連する多数の情報を簡単に収集することができる点において有用である。
【０００３】
しかしながら、このような検索エンジンでは、その検索キーに関連するそのもの自体（以下「現物」と呼ぶ）を検索できる訳ではなく、あくまでも、その検索キーに関連する情報を収集することができるものである。従来、このような現物自体を検索する様々なシステムが考えられている。
【０００４】
従来のシステムでは、同物品を別のＩＤタグの貼付されたロットへ移管する際にＩＤタグを読み取り、元のロットのＩＤと新たなロットのＩＤなどとをサーバ上で関連付けるとともに、ＩＤとは異なる体系で一意的となるＵＲＬなどの組み合わせなどをそれらのＩＤと関連付けて生成している（特許文献１参照）。
【０００５】
また、その他の従来のシステムにおいては、例えば文書上の情報を読み取り、当該文書に関する文書管理情報を記憶した非接触ＩＣタグを各文書に貼り付けておく。各非接触ＩＣタグには、各文書の文書管理情報に対するＵＲＬが記録されている。これにより、第三者はインターネットを介して、当該文書管理情報を検索することが可能である（特許文献２参照）。
【０００６】
【特許文献１】特開２００５−８２９７号公報
【特許文献２】特開２００７−６６０６２号公報
【発明の開示】
【発明が解決しようとする課題】
【０００７】
しかしながら、特許文献１に記載の従来システムによれば、サーバ側においてＵＲＬなどの組み合わせなどをＩＤと関連付けて管理しているが、このようなＩＤタグが付された現物自体を検索できる訳ではない。
【０００８】
また、特許文献２に記載の従来システムによれば、新たにＵＲＬアドレスを生成し、このＵＲＬアドレスを文書管理情報に対して割り当てているが、具体的な検索方法に関する記述がなされていない。つまり第三者は、インターネットを介して当該文書情報を検索することができるものの当該文書自体を検索することはできない。
【０００９】
本発明の目的は、端末装置が所望の対象物の現物を探し出すことができる対象物検索システム及び検索制御装置並びに対象物探索装置を提供することにある。
【課題を解決するための手段】
【００１０】  上記目的を達成するために、第１発明は、複数の対象物探索装置に各々Ｕｎｉｆｏｒｍ  Ｒｅｓｏｕｒｃｅ  Ｌｏｃａｔｏｒ（ＵＲＬ）を割り当てて制御する検索制御装置と、タグＩＤ、及び、前記ＵＲＬに組み込み可能な所定の限定名、を記憶した無線タグ回路素子が付された対象物の検索要求を行う端末装置と、各前記対象物の無線タグ回路素子との間で情報の送受信を行う前記複数の対象物探索装置と、を有し、前記検索制御装置は、前記複数の対象物探索装置のうちから、前記端末装置の検索要求に応じた所望の対象物に付された無線タグ回路素子との間で情報の送受信を行った特定の対象物探索装置を探索する探索手段と、前記探索手段によって前記特定の対象物探索装置が探索された場合、前記特定の対象物探索装置のＵＲＬと、前記探索手段による送受信で前記無線タグ回路素子から取得された前記限定名と、により新たなＵＲＬを生成し、その生成したＵＲＬを前記所望の対象物に対し動的に付与する動的付与手段と、前記動的付与手段によって動的に付与されたＵＲＬの元となる前記特定の対象物探索装置のＵＲＬに、前記所望の対象物に割り当てられた当該対象物のＩＤを関連付けて管理する関連付け管理手段と、前記端末装置の検索要求に応じた所望の対象物が、前記関連付け管理手段において管理されている対象物である場合、前記特定の対象物探索装置のＵＲＬに基づいて、前記特定の対象物探索装置に、前記所望の対象物にアクセスさせるアクセス制御手段と、を有するとともに、前記端末装置の検索要求に応じた所望の対象物が、前記関連付け管理手段において管理されていない対象物である場合、前記探索手段に、前記所望の対象物の無線タグ回路素子との間で情報の送受信が可能な新たな特定の対象物探索装置を探索させ、前記探索手段によって前記検索要求に応じた所望の対象物に応じた前記新たな特定の対象物探索装置を探索できた場合、前記新たな特定の対象物探索装置に基づいて前記関連付け管理手段が管理する内容を更新するとともに、前記関連付け管理手段が管理する内容を更新した場合、前記内容を前記端末装置に通知し、前記複数の対象物探索装置に、各々定期的に前記対象物を探索させ、かつ、前記関連付け管理手段は、前記検索要求に応じた所望の対象物に対応させて、更新前の前記特定の対象物探索装置と、前記新たな特定の対象物探索装置とを対応付けて管理しておくことを特徴とする。  第２の発明は、上記第１発明において、前記端末装置は、前記動的付与手段により付与されたＵＲＬを用いて前記特定の対象物探索装置にアクセスし、アクセスされた前記特定の対象物探索装置は、前記アクセス時に使用されたＵＲＬから前記限定名を抽出し、その抽出した限定名に対応したタグＩＤを取得する取得手段と、前記取得手段により取得されたタグＩＤを用いて前記無線タグ回路素子に対する読み取りを行う読み取り手段と、を有することを特徴とする。 【００１１】
端末装置が所望の対象物の検索要求を行うと、検索制御装置が、この検索要求に応じた所望の対象物の無線タグ回路素子との間で情報の送受信が可能な特定の対象物探索装置を見つけ出す。しかもこの検索制御装置は、見つけ出した特定の対象物探索装置に対し、その特定の対象物探索装置のＵＲＬとそのＵＲＬから取得した限定名とを用いて新たなＵＲＬを生成し、その生成したＵＲＬを動的に付与する。そして、この所望の対象物に、この特定の対象物探索装置のＵＲＬを関連付けて管理している。このため端末装置は、このように管理されている特定の対象物探索装置を経て容易に、所望の対象物の現物を探し出すことができる。具体的には、端末装置が、上記動的に付与されたＵＲＬを用いて特定の対象物探索装置にアクセスすることで、前記特定の対象物探索装置は上記ＵＲＬから抽出した限定名に対応したタグＩＤを用いて、対象物の無線タグ回路素子に対する読み取りを行う。読み取りにより対象物の存在を確認したら、検索物制御装置にアクセスし、関連づけ管理手段で特定の対象物探索装置のＵＲＬに関連づけられている所望の対象物のＩＤやこれに対応する各種情報等を取得することができる。
【００１３】
また、所望の対象物が関連付け管理手段において管理されている対象物であった場合に前記所望の対象物にアクセスさせることにより、ある対象物が１度でもある対象物探索装置のＵＲＬに関連付けられると、その後、特定の対象物探索装置は、逐一、検索要求に応じた所望の対象物を検索する必要がなくなる。このため検索制御装置は、その特定の対象物探索装置を用いて所望の対象物により早くアクセスすることができる。このため検索制御装置は、端末装置から所望の対象物に関する検索要求を受けてから、実際にこの所望の対象物にアクセスするまでの時間を短くすることができる。
【００１５】
また、所望の対象物が関連付け管理手段において管理されていない対象物であった場合、前記所望の対象物の無線タグ回路素子との間で情報の送受信が可能な新たな特定の対象物探索装置を探索させることにより、検索制御装置は、端末装置の検索要求に応じた所望の対象物が未だに関連付けられていない場合でも、複数の対象物探索装置を用いて、この所望の対象物を探索することができる。
【００１７】
また、所望の対象物に応じた新たな特定の対象物探索装置を探索できた場合、関連付け管理手段が管理する内容を更新することにより、探索手段が、それ以降に、端末装置の検索要求に応じた所望の対象物を検索した場合、関連付け管理手段を参照して迅速に、その新たな特定の対象物探索装置を経て所望の対象物を探索することができる。
【００１９】
また、関連付け管理手段が管理する内容を更新した場合、前記内容を端末装置に通知することにより、端末装置は、関連付け管理装置において更新がなされたことを直ちに把握することができるとともに、この関連付け管理装置から最新の情報を得ることができる。
【００２１】
また、複数の対象物探索装置に、各々定期的に前記対象物を探索させることにより、検索制御装置は、恒常的に、各対象物がどの対象物探索装置に対応しているかに関して最新の情報を把握しておくことができる。
【００２３】
また、検索要求に応じた所望の対象物に対応させて、更新前の特定の対象物検索装置と、新たな特定の対象物検索装置とを対応付けて管理しておくことにより、所望の対象物が移動された場合でも、その移動前の対象物のＵＲＬと移動後の対象物のＵＲＬとを管理し、この所望の対処物の移動履歴を正確に管理しておくことができる。
【００２４】
第３の発明は、上記第２発明において、前記検索制御装置は、各前記対象物に対応させた関連情報を管理する関連情報管理手段と、前記特定の対象物探索装置の前記読み取り手段により読み取られたタグＩＤを用いて前記関連情報管理手段を検索し、対応する前記所望の対象物に関する関連情報を前記関連情報管理手段から前記端末装置に対して提供する情報提供手段とを有することを特徴とする。
【００２５】
これにより、検索制御装置は、各対象物に対応させた関連情報を用意しておけば、端末装置の検索要求に応じて、検索制御装置による各対象物に対するアクセスがあった場合に、この端末装置に、この対象物に対応させた関連情報を供与することができる。
上記目的を達成するために、第４発明は、複数の対象物探索装置に対し各々Ｕｎｉｆｏｒｍ  Ｒｅｓｏｕｒｃｅ  Ｌｏｃａｔｏｒ（ＵＲＬ）を割り当てて制御する検索制御装置であって、タグＩＤ、及び、ＵＲＬに組み込み可能な所定の限定名、を記憶した無線タグ回路素子がそれぞれ付された各対象物の、前記無線タグ回路素子との間で情報の送受信を行う複数の対象物探索装置のうちから、前記対象物の検索要求に応じた所望の対象物に付された前記無線タグ回路素子との間で情報の送受信を行った特定の対象物探索装置を探索する探索手段と、前記探索手段によって前記特定の対象物探索装置が探索された場合、前記特定の対象物探索装置のＵＲＬと、前記探索手段による送受信で前記無線タグ回路素子から取得された前記限定名と、により新たなＵＲＬを生成し、その生成したＵＲＬを前記所望の対象物に対し動的に付与する動的付与手段と、前記動的付与手段によって動的に付与されたＵＲＬの元となる前記特定の対象物探索装置のＵＲＬに、前記所望の対象物に割り当てられた当該対象物のＩＤを関連付けて管理する関連付け管理手段と、前記検索要求に応じた所望の対象物が、前記関連付け管理手段において管理されている対象物である場合、前記特定の対象物探索装置のＵＲＬに基づいて、前記特定の対象物探索装置に、前記所望の対象物にアクセスさせるアクセス制御手段と、を有するとともに、前記検索要求に応じた所望の対象物が、前記関連付け管理手段において管理されていない対象物である場合、前記探索手段に、前記所望の対象物の無線タグ回路素子との間で情報の送受信が可能な新たな特定の対象物探索装置を探索させ、前記探索手段によって前記検索要求に応じた所望の対象物に応じた前記新たな特定の対象物探索装置を探索できた場合、前記新たな特定の対象物探索装置に基づいて前記関連付け管理手段が管理する内容を更新するとともに、前記関連付け管理手段が管理する内容を更新した場合、前記内容を前記無線タグ回路素子が付された対象物の検索要求を行う端末装置に通知し、前記複数の対象物探索装置に、各々定期的に前記対象物を探索させることを特徴とする。
上記目的を達成するために、第５発明は、検索制御装置により複数の対象物探索装置に各々割り当てられたＵｎｉｆｏｒｍ  Ｒｅｓｏｕｒｃｅ  Ｌｏｃａｔｏｒ（ＵＲＬ）に組み込み可能な所定の限定名、及び、タグＩＤを記憶した無線タグ回路素子が付された対象物の、前記無線タグ回路素子との間で、定期的に情報の送受信を行うことで前記対象物を探索する前記対象物探索装置であって、端末装置の検索要求に応じた所望の対象物に付された無線タグ回路素子との間で情報の送受信を行った場合、特定の対象物探索装置とされるとともに、その特定の対象物探索装置とされたときのＵＲＬと、前記送受信で前記無線タグ回路素子から取得された前記限定名と、により新たなＵＲＬが前記検索制御装置により生成されるように構成され、かつ前記端末装置の検索要求に応じた所望の対象物に割り当てられた当該対象物のＩＤが、前記特定の対象物探索装置のＵＲＬと関連付けられて前記検索制御装置により管理されている場合には、前記特定の対象物探索装置のＵＲＬが指定されることで前記所望の対象物にアクセスし、前記端末装置の検索要求に応じた所望の対象物のＩＤが、前記特定の対象物探索装置のＵＲＬと関連付けられて前記検索制御装置により管理されていない場合には、前記所望の対象物の無線タグ回路素子との間で情報の送受信が可能な別の特定の対象物探索装置が探索されるように構成され、かつ前記検索制御装置が前記別の特定の対象物探索装置を探索できた場合、前記別の特定の対象物探索装置に基づいて前記管理される内容が更新されるとともに前記内容が前記端末装置に通知され、前記検索要求に応じた所望の対象物に対応させて更新前の前記特定の対象物探索装置と前記別の特定の対象物探索装置とが対応付けて前記検索制御装置により管理されるように構成され、かつ、前記新たに生成されたＵＲＬを用いて前記端末装置により前記特定の対象物探索装置としてアクセスされた場合に、前記アクセス時に使用されたＵＲＬから前記限定名を抽出し、その抽出した限定名に対応したタグＩＤを取得する取得手段と、前記取得手段により取得されたタグＩＤを用いて前記無線タグ回路素子に対する読み取りを行う読み取り手段と、を有することを特徴とする。
【発明の効果】
【００２６】
本発明によれば、端末装置の要求に応じて所望の対象物自体を探し出すことができる。
【発明を実施するための最良の形態】
【００２７】
以下、本発明の一実施の形態を図面を参照しつつ説明する。
図１は、本実施形態としてのリアルサーチシステム１００の構成例を示すシステム構成図である。
リアルサーチシステム１００は、端末装置３、サーバ５、サーチデバイス９ａ，９ｂ，９ｃ及びネットワーク７を備えている。これら端末装置３、サーバ５及びサーチデバイス９ａ，９ｂ，９ｃはネットワーク７に接続されている。これらサーチデバイス９ａ，９ｂ，９ｃは、それぞれ例えばある会社における各部屋に配置されている装置である。
【００２８】
サーチデバイス９ａは、例えば開発センター３階の事務室に配置されている。この開発センター３階の事務室には、このサーチデバイス９ａの他にも備品１１ａ（プロジェクタ装置）が存在している。この備品１１ａにはタグラベルＴが付されている。このタグラベルＴには無線タグ回路素子Ｔｏが配置されている。サーチデバイス９ａは、備品１１ａのタグラベルＴの無線タグ回路素子Ｔｏとの間で情報の送受信を行う機能を有する。本実施形態では、タグラベルＴに配置された無線タグ回路素子Ｔｏには、タグＩＤと限定名が記憶されている。この限定名は、詳細は後述するが、所望の対象物との間で情報の送受信を行うことができるサーチデバイス９ａなどの場所情報としてのＵＲＬ（Ｕｎｉｆｏｒｍ  Ｒｅｓｏｕｒｃｅ  Ｌｏｃａｔｏｒ）に使われる名称である。
【００２９】
一方、サーチデバイス９ｂは、例えば本社の会議室に配置されている。この本社の会議室には固定資産１１ｂ（テーブル）が存在している。この固定資産１１ｂには、タグラベルＴが付されている。なお図示を省略しているが、このタグラベルＴにも無線タグ回路素子Ｔｏが配置されている。そのサーチデバイス９ｂは、固定資産１１ｂに付されたタグラベルＴの無線タグ回路素子Ｔｏとの間で情報の送受信を行う機能を有する。
【００３０】
一方、サーチデバイス９ｃは、例えばＡＢ工場の第３棟６階に配置されている。このＡＢ工場の第３棟６階には固定資産１１ｃ（プリンター）が存在している。この固定資産１１ｃには、タグラベルＴが付されている。なお図示を省略しているが、このタグラベルＴにも無線タグ回路素子Ｔｏが配置されている。そのサーチデバイス９ｃは、このタグラベルＴの無線タグ回路素子Ｔｏとの間で情報の送受信を行う機能を有する。
【００３１】
つまりこれら複数のサーチデバイス９ａ，９ｂ，９ｃは複数の対象物探索装置に相当し、対象物の一例としての備品１１ａ、固定資産１１ｂ，１１ｃのタグラベルＴの無線タグ回路素子Ｔｏとの間で情報の送受信を行う機能を有する。
【００３２】
一方、端末装置３は、例えばノートブック型パーソナルコンピュータ又は情報端末の一種である。この端末装置３は、タグラベルＴが付された対象物としての備品１１ａなどの検索要求を行う機能を有する。本実施形態における検索要求とは、このような対象物に関する情報を検索する要求のみならず、その対象物自体の配置場所に関する場所情報を検索する要求も表している。
【００３３】
サーバ５は、端末装置３からの検索要求を受け取ると、この検索要求に応じて検索サービスを提供するサーバコンピュータである。この検索サービスは、端末装置３からの検索要求に含まれる所望の対象物の場所情報を表すＵＲＬを提供する機能である。このサーバ５は、図示しないＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ＣＰＵ（Ｃｅｎｔｒａｌ  Ｐｒｏｃｅｓｓｉｎｇ  Ｕｎｉｔ）及びハードディスクドライブなどを備えている。
【００３４】
このサーバ５は、検索制御装置に相当し、上述した複数のサーチデバイス９ａ，９ｂ，９ｃに各々ＵＲＬを割り当てて制御する機能を有す。ここでいうＵＲＬは場所情報に相当する。
【００３５】
またこのサーバ５は、端末装置３からの検索要求に応じて、サーチデバイス９ａ，９ｂ，９ｃによるタグラベルＴの読み取り制御を行う。このサーバ５は、所望の検索キーワードに対応する情報を提供するいわゆる検索エンジンとしての機能を有する。
【００３６】
また端末装置３は、上述したサーバ５による検索サービスによって提供されたＵＲＬに基づいて、このＵＲＬにリンクされたサーチデバイス９ａ，９ｂ，９ｃのいずれかにアクセスする機能を有する。この端末装置３は、いわゆるブラウザソフトウェアを搭載しており、サーバ５から提供された情報をこのブラウザソフトウェア上で表示する機能を有する。
【００３７】
図２は、サーチデバイス９ａ，９ｂ，９ｃのハードウェア構成例を示すブロック図である。なおサーチデバイス９ｂ，９ｃは、サーチデバイス９ａと同様の構成であるので説明を省略する。サーチデバイス９ａは、高周波回路１６及び制御回路１３３を有する。高周波回路１６は、次のような送信部２１２、受信部２１３及び送受分離器２１４を備えている。
【００３８】
送信部２１２は、無線タグ回路素子ＴoのＩＣ回路部１５０の無線タグ情報にアクセスする(この例では読み取り)ための質問波を生成するブロックである。すなわち、送信部２１２は、基準周波数を発生する水晶振動子２１５Ａと、この水晶振動子２１５Ａにより発生した周波数を元に、所定周波数の搬送波をＣＰＵ１３の制御により発生させるＰＬＬ（Phase  Locked  Loop）２１５Ｂ及びＶＣＯ（Voltage  Controlled  Oscillator）２１５Ｃと、上記ＣＰＵ１３から供給される信号に基づいて上記発生させられた搬送波を変調（この例ではＣＰＵ１３からの「ＴＸ＿ＡＳＫ」信号に基づく振幅変調）する送信乗算回路２１６（但し振幅変調の場合は増幅率可変アンプ等を用いてもよい）と、その送信乗算回路２１６により変調された変調波を増幅（この例では制御回路１３３からの「ＴＸ＿ＰＷＲ」信号によって増幅率が決定される増幅）する可変送信アンプ２１７とを備えている。上記発生される搬送波は、例えばＵＨＦ帯、マイクロ波帯、あるいは短波帯の周波数を用いており、上記送信アンプ２１７の出力は、送受分離器２１４を介しアンテナ１１に伝達されて無線タグ回路素子ＴoのＩＣ回路部１５０に供給される。なお、質問波は上記のように変調した信号（変調波）に限られず、単なる搬送波のみの場合もある。
【００３９】
受信部２１３は、アンテナ１２で受信されて送受分離器２１４を介して入力された無線タグ回路素子Ｔoからの応答波と上記発生させられた搬送波とを乗算して復調する受信第１乗算回路２１８と、その受信第１乗算回路２１８の出力から必要な帯域の信号のみを取り出すための第１バンドパスフィルタ２１９と、この第１バンドパスフィルタ２１９の出力を増幅する受信第１アンプ２２１と、この受信第１アンプ２２１の出力をさらに増幅してデジタル信号に変換する第１リミッタ２２０と、上記アンテナ１２で受信された無線タグ回路素子Ｔoからの応答波と上記発生された後に移相器２２７により位相を９０°遅らせた搬送波とを乗算する受信第２乗算回路２２２と、その受信第２乗算回路２２２の出力から必要な帯域の信号のみを取り出すための第２バンドパスフィルタ２２３と、この第２バンドパスフィルタ２２３の出力を増幅する受信第２アンプ２２５と、この受信第２アンプ２２５の出力をさらに増幅してデジタル信号に変換する第２リミッタ２２４とを備えている。そして、上記第１リミッタ２２０から出力される信号「ＲＸＳ−Ｉ」及び第２リミッタ２２４から出力される信号「ＲＸＳ−Ｑ」は、上記制御回路１３３に入力されて処理される。
【００４０】
また、受信第１アンプ２２１及び受信第２アンプ２２５の出力は、強度検出手段としてのＲＳＳＩ（Received  Signal  Strength  Indicator)回路２２６にも入力され、それらの信号の強度を示す信号「ＲＳＳＩ」がＣＰＵ４に入力されるようになっている。このようにして、サーチデバイス９ａ，９ｂ，９ｃでは、Ｉ−Ｑ直交復調によって無線タグ回路素子Ｔoからの応答波の復調が行われる。
【００４１】
上述した制御回路１３３は、ＲＡＭ（Ｒａｎｄｏｍ  Ａｃｃｅｓｓ  Ｍｅｍｏｒｙ）１４、Ｆｌａｓｈ  ＲＯＭ（Ｆｌａｓｈ  Ｒｅａｄ  Ｏｎｌｙ  Ｍｅｍｏｒｙ：書き換え可能不揮発メモリ）１５、ＣＰＵ（Ｃｅｎｔｒａｌ  Ｐｒｏｃｅｓｓｉｎｇ  Ｕｎｉｔ）１３及びＬＡＮ通信部１６などを備えている。Ｆｌａｓｈ  ＲＯＭ１５内には、ＣＰＵ１３がＷｅｂサーバとして稼動するためのプログラムを記憶している。ＣＰＵ１３は、Ｆｌａｓｈ  ＲＯＭ１５から読み出したプログラムをＲＡＭ１４で動作させ、Ｗｅｂサーバ機能を発揮させる。ＬＡＮ通信部１６は、ＣＰＵ１３の制御によってネットワーク７を経由したデータ通信を制御する。
【００４２】
図３は、無線タグＴに配置された無線タグ回路素子Ｔoの構成例を示す図である。図３において、無線タグ回路素子Ｔoは、上述したようにサーチデバイス９ａなどのアンテナ１２と非接触で信号の送受信を行う上記タグ側アンテナ１５１と、このタグ側アンテナ１５１に接続された上記ＩＣ回路部１５０とを有している。
【００４３】
ＩＣ回路部１５０は、タグ側アンテナ１５１により受信された質問波（上記応答要求コマンドを含む信号）を整流する整流部１５２と、この整流部１５２により整流された質問波のエネルギを蓄積し駆動電源とするための電源部１５３と、上記タグ側アンテナ１５１により受信された質問波からクロック信号を抽出して制御部１５７に供給するクロック抽出部１５４と、所定の情報信号を記憶し得るメモリ部１５５と、上記タグ側アンテナ１５１に接続された変復調部１５６と、上記リーダ１からの上記応答要求コマンドの受信時に当該無線タグ回路素子Ｔoが応答信号をどの識別スロットに出力するかを決定するための乱数を発生させる乱数発生器１５８（詳細は後述）と、上記メモリ部１５５、クロック抽出部１５４、乱数発生器１５８、及び変復調部１５６等を介し上記無線タグ回路素子Ｔoの作動を制御するための上記制御部１５７とを備えている。
【００４４】
変復調部１５６は、タグ側アンテナ１５１により受信された上記無線タグ情報通信装置１のリーダアンテナ３からの通信信号の復調を行い、また、上記制御部１５７からの返信信号を変調し、タグ側アンテナ１５１より応答波（タグＩＤを含む信号）として送信する。
【００４５】
クロック抽出部１５４は受信した信号からクロック成分を抽出して制御部１５７にクロックを抽出するものであり、受信した信号のクロック成分の周波数に対応したクロックを制御部１５７に供給する。
【００４６】
制御部１５７は、上記変復調部１５６により復調された受信信号を解釈し、上記メモリ部１５５において記憶された情報信号に基づいて返信信号を生成し、この返信信号を上記乱数発生器１５８により発生させた乱数に対応する識別スロットで上記変復調部１５６により上記タグ側アンテナ１５１から返信する制御等の基本的な制御を実行する。
【００４７】
図４は、図１に示すサーバ５における機能の構成例を示すブロック図である。なお、この以下の機能ブロックは、上述したＣＰＵが実行する機能を概念的に表しており、図示のような形態以外にも様々な形態のブロックに分けて機能させるようにしても良い。
【００４８】
サーバ５は、探索部２１、動的付与部２３、データベース２５、情報提供部２７及びアクセス制御部２９を有する。なお動的付与部２３は、これら探索部２１、情報提供部２７及びアクセス制御部２９などの一部の機能として組み込まれていても良い。
【００４９】
探索部２１は探索手段に相当し、上述した複数のサーチデバイス９ａ，９ｂ，９ｃのうちから、端末装置３の検索要求に応じた所望の備品１１ａなどの対象物に付されたタグラベルＴの無線タグ回路素子Ｔｏとの間で情報の送受信が可能な特定のサーチデバイス９ａなどを探索する機能を有する。
【００５０】
動的付与部２３は動的付与手段に相当し、探索部２１によって特定のサーチデバイス９ａなどが探索された場合、所望の対象物としての備品１１ａにそのサーチデバイス９ａなどの場所情報の一例としてのＵＲＬを動的に付する機能を有する。
【００５１】
データベース２５は、後述する情報提供部２７とともにいわゆる検索エンジンとしての機能を発揮する構成に対応している。このデータベース２５は、端末装置３からの検索要求に応じた情報を所定の検索キーごとに分類して蓄積しておく機能を有する。またこのデータベース２５は、後述する種々のテーブル及び後述する関連情報を有する。
【００５２】
具体的には、データベース２５は関連付け管理手段に相当し、動的付与部２３によって動的に付与された特定のサーチデバイス９ａなどのＵＲＬ（場所情報に相当）に、所望の対象物としての備品９ａのＩＤ（識別子の一例に相当）を関連付けて管理している。つまり、このデータベース２５は、対象物としての備品９ａなどをそれらに割り当てたＩＤによって関連付けて管理している。
【００５３】
上述したアクセス制御部２９はアクセス制御手段に相当し、端末装置３の検索要求に応じたサーチデバイス９ａなどの所望の対象物が、上述したデータベース２５において管理されている対象物である場合、上述した特定のサーチデバイス９ａなどのＵＲＬに基づいて、そのサーチデバイス９ａなどに、所望の対象物である備品１１ａにアクセスさせる機能を有する。
【００５４】
このサーバ５は、端末装置３の検索要求に応じた所望の対象物としての備品１１ａなどが、データベース２５において管理されていない対象物である場合、探索部２１に、所望の対象物としての備品１１ａのタグラベルＴとの間で情報の送受信が可能な新たな特定のサーチデバイス９ｂ，９ｃのいずれかを探索させる機能を有する。
【００５５】
また、このサーバ５は、探索部２１によって検索要求に応じた所望の対象物としての備品１１ａに応じた新たな特定のサーチデバイス９ｂ，９ｃを探索できた場合、その新たな特定のサーチデバイス９ｂ，９ｃのいずれかに基づいてデータベース２５が管理する内容を更新する機能を有する。
【００５６】
またサーバ５は、上述のように元々端末装置３からの検索要求があったことから、このようにデータベース２５が管理する内容を更新した場合、この端末装置３に通知する機能を有する。また、このサーバ５は、これら複数のサーチデバイス９ａ，９ｂ，９ｃに、各々定期的に備品１１ａなどの対象物を探索させる機能を有するようにしても良い。また、データベース２５は、更新前の特定のサーチデバイス９ａと、新たな特定のサーチデバイス９ｂ，９ｃのいずれかと対応付けて管理しておいても良い。
【００５７】
また、上述した情報提供部２７は情報提供手段に相当し、サーバ５のアクセス、制御部２９による備品１１ａなどの所望の対象物に対するアクセスがあった場合に、データベース２５から、端末装置３に対して所望の対象物に関する関連情報を提供する機能を有する。つまりデータベース２５においては、上述した関連情報がその関連する所望の対象物を表すＩＤごとに管理されている。
【００５８】
図５は、図１に示すサーチデバイス９ａの機能の構成例を示すブロック図である。なおサーチデバイス９ｂ，９ｃは、それぞれサーチデバイス９ａとほぼ同様の構成であるので説明を省略する。また、以下の機能ブロックは、上述したＣＰＵ１３が実行する機能を概念的に表しており、図示のような形態以外にも様々な形態のブロックに分けて機能させるようにしても良い。
【００５９】
まず、このサーチデバイス９ａは、上述したように各対象物に付されたタグラベルＴへのアクセス機能の他にも、例えばＷｅｂサーバとしての機能も有する。このＷｅｂサーバの機能は、上述した端末装置３からの要求に応じて、後述する物品情報を端末装置３に対して提供する機能を表している。この物品情報は、サーチデバイス９ａが情報の送受信を行うことができるタグラベルＴが付された備品９ａなどの対象物に関する情報を表している。なお、ここでいうＷｅｂサーバ機能においては、この端末装置３がサーバ５を経由しないでサーチデバイス９ａにアクセスしている。
【００６０】
このサーチデバイス９ａは、Ｗｅｂサーバ機能、タグラベルＴに配置された無線タグ回路素子Ｔｏの読み取り機能、端末装置３からのＵＲＬ受付機能、サーバ５へのＩＤ及び関連情報の問い合わせ機能、問い合わせ結果としての関連情報からＨＴＭＬデータを生成して端末装置３に返信するＵＲＬ生成機能並びにＵＲＬ転送機能を有する。
【００６１】
上述したＷｅｂサーバ機能とは、端末装置３がサーバ５を経由することなく直接的にサーチデバイス９ａなどにアクセスして情報を取得することができる機能をいう。本実施形態では、このようなＷｅｂサーバ機能によって端末装置３が得られる情報を「物品情報」と呼んでいる。つまり各サーチデバイス９ａなどは、近傍に配置している対象物に関する物品情報を有しており、Ｗｅｂサーバ機能によって物品情報を端末装置３に提供する機能を有する。
【００６２】
上述したＵＲＬ生成機能とは、新たに探索された所望の対象物に貼り付けられたタグラベルＴの無線タグ回路素子Ｔｏとの間で情報の送受信が可能なサーチデバイス９ａなどの場所情報を表すＵＲＬを生成する機能をいう。また上述したＵＲＬ転送機能とは、上記ＵＲＬ生成機能によって新たなＵＲＬが生成された場合にこれを端末装置３に転送する機能をいう。
【００６３】
上述したサーチデバイス９ａは、関連情報要求部３１、タグ読み取り制御部３３、ネットワーク通信部３６、物品情報提供部３５、Ｗｅｂサーバ部３８及び再探索部３７を有する。
タグ読み取り制御部３３は、上述したタグラベルＴの無線タグ回路素子Ｔｏからの読み取り機能を制御する。このタグラベルＴの読み取り機能としては、例えばタグラベルＴの無線タグ回路素子Ｔｏとの間で情報の送受信を行い、例えば、タグＩＤ及び後述する限定名などの情報を読み取る機能を表している。
【００６４】
ネットワーク通信部３６は、上述したネットワーク７を経由したネットワーク通信を制御する機能を有する。具体的にはこのネットワーク通信部３６は、例えば関連情報要求部３１、物品情報提供部３５又はＷｅｂサーバ部３６からの要求に応じてネットワーク７を経由したデータ通信を制御する。Ｗｅｂサーバ部３６は、上述したＷｅｂサーバ機能を発揮する。
【００６５】
関連情報要求部３１は、上述した端末装置３からの直接的な要求に応じて、サーバ３に対してこの要求に含まれる対象物に関係する関連情報をサーバ５に対して要求する機能を有する。ここで直接的な要求と表現したのは、この端末装置３がサーバ５を経由せず直接サーチデバイス９ａにアクセスしているためである。
【００６６】
物品情報提供部３５は、上述した関連情報要求部３１によってサーバ５に対して要求され返信された物品情報に基づいて後述する物品情報ページを構成するとともに、この物品情報ページを要求元である端末装置３に対して返信する機能を有する。
【００６７】
一方、再探索部３７は、サーチデバイス９ａ自らが所望の対象物として備品１１ａを探索できなかった場合に、その他のサーチデバイス９ｂ，９ｃに対してその備品１１ａの探索を要求する機能を有する。
【００６８】
リアルサーチシステム１は以上のような構成であり、次に図１〜図５を参照しつつこのリアルサーチシステム１の動作例について説明する。
図６は、図４に示すデータベース２５の一部を構成する対象物管理テーブル２５ａの一例を示すテーブル構成例である。なお、このテーブル構成例では、この対象物管理テーブル２５ａが管理する物品のうち一部の物品について図示している。ここでいう物品とは上述した対象物を表している。
【００６９】
この対象物管理テーブル２５ａでは、複数の対象物又は複数種類の対象物を互いに識別するための物品コードごとに、品名、型番、購入日、管理部門名、管理者名、メールアドレス、保管場所、サーチデバイス名及びタグＩＤを管理している。なおこのタグＩＤは、例えば１６進数によって表されている。
【００７０】
この対象物管理テーブル２５ａを参照すると、例えば「８５１２０１５８９０００」という物品コードに対応させて、品名が「ハイビジョンプロジェクタＮｏ．５」として管理されているとともにサーチデバイス名が「ｗｗｗ００１．ｋａｉｈａｔｓｕ−ｃ．ｂｒｏｔｈｅｒ．ｃｏ．ｊｐ」として管理されている。なお、このサーチデバイス名は、このサーチデバイスのホスト名として取り扱われる。
【００７１】
また、この対象物管理テーブル２５ａでは、図示を省略しているが、各物品コードに対応して、品名がスタンダードプロジェクタＮｏ．１，Ｎｏ．２，Ｎｏ．３、ハイビジョンプロジェクタＮｏ．４及びモバイルプロジェクタＮｏ．７，Ｎｏ．９を管理している。
【００７２】
図７は、リアルサーチシステム１００の動作例を示すシーケンスチャートである。なおこのシーケンスチャートにおいては、端末装置３における処理を左側縦方向に配置し、サーバ５における手順を中央縦方向に配置し、サーチデバイス９ａ，９ｂ，９ｃにおける手順を右側縦方向に配置している。なお、以下の説明では、特にすべてのサーチデバイス９ａ，９ｂ，９ｃに言及する必要がない場合、サーチデバイス９ａ，９ｂ，９ｃのうちサーチデバイス９ａを例示して説明する。
【００７３】
まずステップＳ１では、端末装置３が内蔵するブラウザソフトウェアを用いて、サーバ３が提供する所定の検索ページに接続を試みる。次にステップＳ２では、サーバ５の情報提供部２７が、端末装置３からの検索ページの要求に対し、所定の検索ページを端末装置３に対して返信する。
【００７４】
すると、この端末装置３においては、その図示しない表示領域に、図８に示す検索ページが表示される。この検索ページは、いわゆる検索エンジンとほぼ同様の画面が表示されているが、検索キーワードの入力欄及び検索ボタン以外に、対象物の存在確認の有無を問いかける項目が存在している。
【００７５】
この対象物の存在確認の有無は、端末装置３の操作者が必要に応じて「有」を選択したり「無」を選択することが可能となっている。まず所望の対象物の存在確認を「無」と設定して端末装置３がサーバ５に対して検索を行った場合には、この端末装置３がサーバ５に対し、いわゆる通常の検索エンジンと同様に入力した検索キーワードに対応した情報の収集を行うことができる。
【００７６】
一方、所望の対象物の存在確認を「有」と設定して端末装置３がサーバ５に対して検索を行った場合には、この端末装置３がサーバ５に対し、いわゆる通常の検索エンジンの代わりに、所望の対象物自体を検索することができる。すなわちステップＳ３では、図８に示すように端末装置３において検索キーワードとして「開発センタ  プロジェクタ」と入力するとともに、存在確認を「有」と設定して検索ボタン３ａを押す。
【００７７】
すると、次にステップＳ４では、サーバ５において情報提供部２７が、その情報端末３からの検索要求が所望の対象物の存在確認を要するものであるか否かを判断する。情報提供部２７は、存在確認を要しない場合、指定された検索キーワードに基づいてデータベース２５を検索し、検索結果ページを端末装置３に対して返信する（図示しない）。
【００７８】
一方、情報提供部２７は、端末装置３からの検索要求において存在確認を要すると判断した場合、探索部２１に次のようなステップＳ５を実行させる。このステップＳ５では、この探索部２１が、端末装置３の探索要求に含まれる対象物がデータベース２５の対象物管理テーブル２５ａに存在しているかどうかを判断する。つまり、この探索部２１は、端末装置３の探索要求に含まれる対象物がデータベース２５の対象物管理テーブル２５ａにおいてヒットするか否かを判断する。
【００７９】
この探索部２１は、対象物管理テーブル２５ａにおいてレコードがヒットしなかった場合には、その端末装置３に対し、例えば０件がヒットした旨を返信する。つまり、これは上述した検索キーワードに該当するレコードが対象物管理テーブル２５ａに存在しないことを表している。
【００８０】
一方、この探索部２１は、対象物管理テーブル２５ａにおいてレコードがヒットした場合には、このヒット数分にわたり次のようなループ処理を実行する。このループ処理は、サーバ５が、アクセス制御部２９によって、端末装置３の検索要求に応じた所望の対象物が、対象物管理テーブル２５ａにおいて管理されている対象物である場合、特定のサーチデバイス９ａのＵＲＬに基づいて、その特定のサーチデバイス９ａ、その所望の対象物にアクセスさせるための準備処理である。
【００８１】
このとき、この探索部２１は、このようなヒット数あるいはヒットした品名を把握している。すなわちステップＳ７では、探索部２１が、アクセス制御部２９を制御し、このようにヒットし関連付けられている所望の対象物としてのサーチデバイス９ａなどに、タグラベルＴの無線タグ回路素子ＴｏからタグＩＤの読み取り要求をさせる。
【００８２】
次にステップＳ８では、この要求を受け取ったサーチデバイス９ａがサーチ処理を実行する。このサーチ処理は、サーチデバイス９ａなどが、自らの近傍に配置する備品１１ａなどに付されたタグラベルＴからタグＩＤを読み出そうと試みる処理である。
【００８３】
このサーチ処理では、探索部２１が、複数のサーチデバイス９ａ，９ｂ，９ｃのうちから、端末装置３による検索要求に応じた所望の対象物に付された無線タグ回路素子Ｔｏとの間で情報の送受信が可能な特定のサーチデバイス９ａ，９ｂ，９ｃのいずれかを探索する（探索手段に相当）。このサーチ処理では、サーチ結果として限定名をサーバ５に返信する。なお、このサーチ処理では、併せて見つかったタグＩＤをサーバ５に返信しても良い。このサーチ処理の詳細については後述する。
【００８４】
次にステップＳ９では、サーバ５において探索部２１が、上述したサーチ処理において所望の対象物が見つかったか否かを判断する。具体的には、所望の対象物が見つかった場合にはタグＩＤが得られており、見つからなかった場合にはタグＩＤが得られていない。
【００８５】
探索部２１は、所望の対象物が見つかった場合には、動的付与部２３に、次のように動的にＵＲＬを付与させる。この動的付与部２３は、探索部２１によって特定のサーチデバイス９ａなどが探索された場合、その所望の対象物にその特定のサーチデバイス９ａなどのＵＲＬを動的に付する（動的付与手段に相当）。
【００８６】
具体的には、動的付与部２３は、その所望の対象物のタグラベルＴの無線タグ回路素子Ｔｏとの間で情報の送受信を行うことができるサーチデバイス９ａなどを表すＵＲＬと、その無線タグ回路素子ＴｏのタグＩＤとともに読み出した限定名とを用いて所定のＵＲＬを生成する（ステップＳ１０）。なおサーバ５は、複数のサーチデバイス９ａ，９ｂ，９ｃに、各々、例えば定期的に対象物を探索させるようにしても良い。
【００８７】
一方、所望の対象物が見つからなかった場合は、動的付与部２３は、このステップＳ１０の処理を行わない。サーバ５においては、探索部２１が、上述のようなステップＳ７，Ｓ９及びＳ１０を、上述したヒット数分にわたり繰り返しループ処理を行う。
【００８８】
次に対象物管理テーブル２５ａでは、動的付与部２３によって動的に付与されたその特定のサーチデバイス９ａなどのＵＲＬ（上述したサーチデバイス名に相当）に、その所望の対象物のＩＤを関連付けて管理する（関連付け管理手段に相当）。
【００８９】
次にステップＳ１１では、サーバ５の情報提供部２７が、探索部２１によって生成されたＵＲＬなどを用いて検索結果ページを構成する。次にステップＳ１２では、サーバ５の情報提供部２７が、このように構成された検索結果ページのＨＴＭＬデータを端末装置３に対して返信する。次にステップＳ１３では、この端末装置３のブラウザソフトが、この検索結果ページのＨＴＭＬデータに基づいて検索結果ページを表示させる。
【００９０】
図９は、上述した図７のステップＳ１３によって表示された画面の一例を示す図である。
この検索結果ページでは、上述した検索キーワード（図示のキーワードに相当）、「開発センタ  プロジェクタ」を指定するとともに、所望の対象物の存在確認を要する旨が上部に表されている。またこの検索結果ページでは、それら検索キーワードなどの下側に、例えばヒットして存在が確認された７件の品名が並んで表示されている。これら７件の品名は、上述したサーチデバイス９ａなどによって、それらの品名に該当する対象物に付されたタグラベルＴの無線タグ回路素子Ｔｏとの間で情報の送受信を行うことができた対象物の物品名を表している。各品名の表示項目は、サーチデバイス９ａなどにアクセスするためのＵＲＬにリンクが張られている。これらのこのサーチデバイス９ａなどは、それぞれ、対応する対象物に付されたタグラベルＴの無線タグ回路素子Ｔｏとの間で情報の送受信を行うことができるサーチデバイスである。
【００９１】
図９に示す検索ページでは、対象物にアクセスしたいときに、これら７件の品名をクリックすると、各品名にリンクした所望の対象物に対応した限定名を含むＵＲＬを入力し、そのＵＲＬに対応したサーチデバイス９ａに接続することもできる。
【００９２】
図１０は、図７に示すサーチ処理Ｓ８の具体的な手順の一例を示すフローチャートである。なおこの図１０においては、サーチデバイス９ａなどがサーチ処理において実行する手順を表している。
【００９３】
まずステップＳ２１では、例えば図５に示すサーチデバイス９ａにおいてタグ読み取り制御部３３が、対象物の一例としての備品１１ａに付されたタグラベルＴからタグＩＤを読み取ろうと試みる。
【００９４】
次にステップＳ２２では、タグ読み取り制御部３３が、このタグラベルＴからタグＩＤを読み取ることができたか否かを判断する。タグ読み取り制御部３３は、タグＩＤを読み取ることができた場合、次に示すステップＳ２３を実行し、タグＩＤが読み取れなかった場合には次に示すステップＳ２６を実行する。
【００９５】
このステップＳ２３では、タグ読み取り制御部３３がそのタグラベルＴからデータとして、例えば限定名を読み取る。次にステップＳ２４では、関連情報要求部３１が、タグ読み取り制御部３３が読み取った限定名を用いる。具体的には、この関連情報要求部３１は、例えば、その限定名に拡張子として「．ｉｄ」を追加したファイル名を作成し、このファイル名でタグＩＤをＩＣ記憶部に記憶しておく。次にステップＳ２５では、この関連情報要求部３１が、上述したサーバ３へこの限定名を返信する。
【００９６】
一方、上述したステップＳ２２においてタグ読み取り制御部３３がタグＩＤを読み取り制御に失敗した場合には、関連情報要求部３１が、今回が例えば５回目の失敗であるか否かを判断する。この関連情報要求部３１は、失敗回数が例えば５回未満である場合にはステップＳ２１を再度実行し、タグ読み取り制御部３３に再度タグＩＤを読み取らせる制御を行わせる。
【００９７】
一方、関連情報要求部３１が、今回が例えば５回目の失敗である場合には、再度探索が必要であるか否かを判断する（ステップＳ２７）。この関連情報要求部３１は、再度探索が必要であると判断した場合、再探索部３７に後述する再サーチ処理を実行させる。一方、この関連情報要求部３１は、再度探索が必要ではないと判断した場合、サーバ３に対して対象物が存在しなかったことを返信する（ステップＳ２８）。
【００９８】
＜再サーチ処理＞
図１１は、再サーチ処理に用いるサーチデバイス巡回テーブル２５ｂの構成例を示す図である。なおこの図１１に示すサーチデバイス巡回テーブル２５ｂは、上述した図４に示すデータベース２５の一部を構成するテーブル構成例である。
【００９９】
このサーチデバイス巡回テーブル２５ｂは、サーチデバイス名及び巡回済みフラグを含んでいる。またこのサーチデバイス巡回テーブル２５ｂは、所望の対象物が存在する場合に巡回して探索させるべきサーチデバイス９ａなどの一覧及びその巡回順を管理するためのテーブルである。
【０１００】
このサーチデバイス名は、これら巡回すべきサーチデバイスのＵＲＬ（場所情報に相当）を配列したものであり、巡回済みフラグは、これら各サーチデバイス９ａなどを用いて所望の対象物が存在しているか否かを巡回したか否かを表す識別子である。なお本実施形態では巡回済みフラグが「１」である場合には、巡回が完了しており、巡回済みフラグが「０」である場合には巡回が済んでいないことを表している。
【０１０１】
つまり探索部２１が、アクセス制御部２９を制御する、データベース２５のサーチデバイス巡回テーブル２５ｂにて管理されている巡回順に従って各サーチデバイス９ａなどによって所望の対象物を探索させるようになっている。
【０１０２】
図１２は、図１０に示す再サーチ処理の手順の一例を示すシーケンスチャートである。なおこの図１２に示すシーケンスチャートにおいては、左側縦方向に端末装置３における手順を示し、中央やや左側縦方向に基点のサーチデバイス９ａにおける再サーチ処理に含まれる各手順を表し、中央やや右側縦方向にサーバ５における各手順の一例を示し、一番右側縦方向に次のサーチデバイス９ｂにおける手順の一例を示している。
【０１０３】
まずステップＳ３１では、基点のサーチデバイス９ａの再探索部３７が、サーバ５に対して他のサーチデバイス９ｂなどによって探索するように、例えばサーバ５に再探索の依頼を行う。なお、再探索部３７は、このサーバ５を経由せず、直接、他のサーチデバイス９ｂに再探索の依頼をしてもよい。
【０１０４】
このサーバ５は、上述のように端末装置３の検索要求に応じた所望の対象物が、データベース２５において管理されていない対象物である場合、後述するように、探索部２１にその所望の対象物に付されたタグラベルＴの無線タグ回路素子Ｔｏとの間で情報の送受信が可能な新たな特定のサーチデバイス９ｂなどを探索させる。
【０１０５】
具体的には、まず、ステップＳ３２では、サーバ５の探索部２１が、データベース２５のサーチデバイス巡回テーブル２５ｂを参照する。次にステップＳ３３では、探索部２１が、このサーチデバイス巡回テーブル２５ｂにおける次の巡回順に該当するサーチデバイス名の巡回済みフラグが「０」であるか否かを判断する。
【０１０６】
探索部２１は、ステップＳ３３において巡回済みフラグが「０」でないサーチデバイス名が存在しない場合には、上述した基点のサーチデバイス９ａに対しその見つからなかった旨を返信するとともに（ステップＳ３４）、そのサーチデバイス巡回テーブル２５ｂの巡回済みフラグをすべて「０」に設定する。
【０１０７】
一方、探索部２１は、ステップＳ３３において次の巡回済みフラグが「０」である場合には、このサーチデバイス巡回テーブル２５ｂにおいて次の巡回順に当たるサーチデバイス９ｂなどに、所望の対象物に付されたタグラベルＴのタグＩＤを読み取らせる。
【０１０８】
次の巡回順のサーチデバイス９ｂなどにおいては、上述した図７に示すサーチ処理ステップＳ８と同様の処理を実行し、サーバ５に対し同様に返信を行う。次にステップＳ３６では、サーバ５の探索部２１が、所望の対象物のタグＩＤを読み取ることができる新たなサーチデバイス９ｂなどが見つかったか否かを判断する。
【０１０９】
この探索部２１は、所望の対象物が見つからなかった場合は、このサーチデバイス９ｂなどに該当するサーチデバイス名について、サーチデバイス巡回テーブル２５ｂの巡回済みフラグを「１」に設定し、上述したステップＳ３３から再度処理を実行する（ステップＳ３７）。
【０１１０】
一方、探索部２１は、所望の対象物が見つかった場合には、この所望の対象物に付されたタグラベルＴとの間でタグＩＤを読み取ることができたサーチデバイス９ｂなどのＵＲＬ（場所情報に相当）を生成する。具体的には、探索部２１は、上述のようにこのサーチデバイス９ｂなどのＵＲＬと、タグＩＤとともに読み出された限定名とを用いて、新たなＵＲＬを生成していく（ステップＳ３８）。
【０１１１】
このときサーバ５は、探索部２１によって検索要求に応じた所望の対象物に応じた新たな特定のサーチデバイス９ｂなどを探索できた場合、その新たな特定のサーチデバイス９ｂに基づいてデータベース２５が管理する内容を更新する。ここで更新する内容としては、例えば、データベース２５において管理するサーチデバイス名を挙げることができる。またこのとき、サーバ５は、データベース２５が管理する内容を更新した場合、その内容を端末装置３に通知するようにしてもよい。
【０１１２】
次にステップＳ３９では、この探索部２１が、新たに生成したＵＲＬを、上述した基点のサーチデバイス９ａに対して返信する。そして、このサーバ５においては、探索部２１が、サーチデバイス巡回テーブル２５ｂの巡回済みフラグをすべて「０」に設定する（ステップＳ４０）。
【０１１３】
一方、基点のサーチデバイス９ａにおいては、再探索部３７が、ステップＳ３４又はステップＳ３９のいずれかによるサーバ５からの返信結果に応じて、所望の対象物が見つかったか否かを判断する（ステップＳ４１）。
【０１１４】
サーチデバイス９ａの再探索部３７は、所望の対象物が見つからなかった場合には、例えば「Ｎｏｔ  Ｆｏｕｎｄ」という結果ページを生成する（ステップＳ４２）。一方、この再探索部３７は、所望の対象物が見つかった場合には、上述のように新たに生成したＵＲＬへの転送ページを生成する（ステップＳ４３）。
【０１１５】
次にステップＳ４４では、この再探索部３７が、このように生成した転送ページのＨＴＭＬデータを端末装置３に対して返信する。次にステップＳ４５では、端末装置３が、そのブラウザソフトによって、このように返信された転送ページのＨＴＭＬデータに基づいて結果ページを表示する。
【０１１６】
以上のようにして、端末装置３は、サーバ５に対し検索要求を行うことで、サーチデバイス９ａ，９ｂ，９ｃに順次所望の対象物を探索させることができるが、さらに次のようにしてＵＲＬを直接指定することによって、いずれかのサーチデバイス９ａ，９ｂ，９ｃなどのいずれかによって所望の対象物に関する物品情報を取得することもできる。本実施形態では、このように端末装置３が、サーバ５の代わりにいずれかのサーチデバイス９ａなどに直接アクセスして所望の情報を得させることができる機能を「Ｗｅｂサーバ機能」と呼んでいる。また本実施形態では、このＷｅｂサーバ機能によって端末装置３が得られる情報を「物品情報」と呼んでいる。
【０１１７】
図１３は、端末装置３がサーチデバイス９ａなどに対し物品情報を要求する手順の一例を示すシーケンスチャートである。なおこの図１３の例では、端末装置３が、品名が「ハイビジョンプロジェクタＮＯ．５」に関する物品情報を要求しているものと例示する。
【０１１８】
まずステップＳ５１では、端末装置３が、図示しない表示領域に表示された図９に示す検索結果ページから、例えば「ハイビジョンプロジェクタＮＯ．５」を選択し、この品名ハイビジョンプロジェクタＮＯ．５にリンクしているＵＲＬを指定してサーチデバイス９ｃに接続を試みる。
【０１１９】
サーチデバイス９ｃにおいては、物品情報提供部３５が、上述した記憶部に記憶している「限定名．ｉｄ」というファイル名のファイルからタグＩＤを取得する（ステップＳ５２）。つまり物品情報提供部３５は、端末装置３からの要求があった場合においてもサーバ５に対して特に要求を行っていない。
【０１２０】
次にステップＳ５３では、物品情報提供部３５が、タグ読み取り制御部３３を制御し、このように得られたタグＩＤを読み取らせる。次にステップＳ５４では、物品情報提供部３５が、タグ読み取り制御部３３がタグＩＤを読み取ることができたか否かを判断する。
【０１２１】
物品情報提供部３５は、タグＩＤを読み取ることができなかった場合にはステップＳ５５を実行する。このステップＳ５５では、物品情報提供部３５が、５回目の失敗であるか否かを判断し、５回目の失敗でないときは上述したステップＳ５３を再度実行する。
【０１２２】
一方、物品情報提供部３５は、５回目の失敗である場合、前述した再サーチ処理と同様の再サーチ処理（ステップＳ１００に相当）と同様の処理を実行し、終了する。一方、物品情報提供部３５が、ステップＳ５４にてタグＩＤを読み取ることができた場合には、この読み取ることができたタグＩＤを元に、サーバ５に対して関連情報の要求を行う（ステップＳ５６）。
【０１２３】
次にステップＳ５７では、サーバ５の情報提供部２７が、このような関連情報の要求に応じてデータベース２５を検索する。具体的には、情報提供部２７が、データベース２５においてタグＩＤに応じて管理している関連情報を検索し、このタグＩＤに対応する関連情報が存在しているか否かを判断する。次にステップＳ５８では、情報提供部２７が、データベース２５から取得した関連情報を、上述したサーチデバイス９ｃに対し返信する。
【０１２４】
一方、このサーチデバイス９ｃでは、この関連情報に基づいて、この対応する対象物に関する物品情報を生成し、物品情報提供部３５が、対応する対象物に関する物品情報に基づいて物品情報ページを構成する（ステップＳ５９）。次にステップＳ６０では、この物品情報提供部３５が、このように構成した物品情報ページのＨＴＭＬデータを端末装置３に対し返信する。
【０１２５】
以上のようにしてサーバ５は、その情報提供部２７が、サーバ５による所望の対象物に対するアクセスがあった場合、データベース２５から、端末装置３に対して所望の対象物に関する関連情報を物品情報ページにより提供している（情報提供手段に相当）。
【０１２６】
端末装置３では、その内蔵するブラウザソフトウェアによって、このように返信された物品情報ページのＨＴＭＬデータに基づいて物品情報ページを表示させる（ステップＳ６１）。このような物品情報ページのＨＴＭＬデータとしては、例えば図１４に示すような内容を例示することができる。
【０１２７】
図１５は、端末装置３の表示領域に表示された物品情報ページの一例を示す画面例である。この端末装置３は、内蔵するブラウザソフトによってこのような物品情報ページを表示している。なお、図１５に示す物品情報ページは、上述した図１４に示すＨＴＭＬデータに基づいて表示されている。
【０１２８】
この物品情報ページによれば、物品コード、品名、型番、購入日、管理部門名、管理者名、メールアドレス、保管場所及び存在確認が表示されている。このような検索によって、端末装置３が、所望の対象物に関する物品情報ページを表示することができると、この所望の物品が、例えばどこに配置されているのかのみならず、得られた物品情報に基づいて、その所望の対象物に関してどのような管理がなされているかについて把握することができるようになる。
【０１２９】
なお、図１５に示す物品情報ページは、物品情報を参照するときに、ブラウザソフトウェアのアドレス欄に、所望の対象物に対応した限定名を含むＵＲＬを入力すると、そのＵＲＬに対応したサーチデバイス９ａに接続することもできる。
【０１３０】
上記実施形態におけるリアルサーチシステム１００は、無線タグ回路素子Ｔｏが付された対象物１１ａ，１１ｂ，１１ｃの検索要求を行う端末装置３と、各前記対象物１１ａ，１１ｂ，１１ｃの無線タグ回路素子Ｔｏとの間で情報の送受信を行う複数のサーチデバイス９ａ，９ｂ，９ｃと、それら複数のサーチデバイス９ａ，９ｂ，９ｃに各々場所情報を割り当てて制御するサーバ５とを有する。しかもこのサーバ５は、それら複数のサーチデバイス９ａ，９ｂ，９ｃのうちから、その端末装置３の検索要求に応じた所望の対象物１１ａ，１１ｂ，１１ｃに付された無線タグ回路素子Ｔｏとの間で情報の送受信が可能な特定のサーチデバイスを探索する探索部２１と、探索部２１によってその特定のサーチデバイスが探索された場合、その所望の対象物にその特定のサーチデバイスの場所情報を動的に付する動的付与部２３と、この動的付与部２３によって動的に付与されたその特定のサーチデバイスのＵＲＬに、その所望の対象物のＩＤを関連付けて管理するデータベース２５とを備えることを特徴とする。
【０１３１】
これにより、端末装置３が所望の対象物の検索要求を行うと、サーバ５が、この検索要求に応じた所望の対象物の無線タグ回路素子Ｔｏとの間で情報の送受信が可能な特定のサーチデバイスを見つけ出す。しかもこのサーバ５は、動的に、この所望の対象物に、この特定のサーチデバイスの場所情報を関連付けて管理している。このため端末装置３は、このように管理されている特定のサーチデバイスを経て容易に、所望の対象物の現物を探し出すことができる。
【０１３２】
上記実施形態におけるリアルサーチシステム１００は、上述した構成に加えてさらに、サーバ５は、端末装置３の検索要求に応じた所望の対象物が、データベース２５において管理されている対象物である場合、その特定のサーチデバイスの場所情報に基づいて、その特定のサーチデバイスに、その所望の対象物にアクセスさせるアクセス制御部２９を備えることを特徴とする。
【０１３３】
これにより、ある対象物が１度でもあるサーチデバイス９ａのＵＲＬに関連付けられると、その後、その特定のサーチデバイス９ａは、逐一、検索要求に応じた所望の対象物を検索する必要がなくなる。このためサーバ５は、その特定のサーチデバイス９ｓを用いて所望の対象物により早くアクセスすることができる。このためサーバ５は、端末装置３から所望の対象物に関する検索要求を受けてから、実際にこの所望の対象物にアクセスするまでの時間を短くすることができる。
【０１３４】
上記実施形態におけるリアルサーチシステム１００は、上述した構成に加えてさらに、サーバ５は、端末装置３の検索要求に応じた所望の対象物が、データベース２５において管理されていない対象物である場合、探索手段２１に、その所望の対象物の無線タグ回路素子Ｔｏとの間で情報の送受信が可能な新たな特定のサーチデバイス９ｂなどを探索させることを特徴とする。
【０１３５】
これにより、サーバ５は、端末装置３の検索要求に応じた所望の対象物が未だに関連付けられていない場合でも、複数のサーチデバイス９ａ，９ｂ，９ｃを用いて、この所望の対象物を探索することができる。
【０１３６】
上記実施形態におけるリアルサーチシステム１００は、上述した構成に加えてさらに、サーバ５は、探索部２１によって上記検索要求に応じた所望の対象物に応じた新たな特定のサーチデバイスを探索できた場合、その新たな特定のサーチデバイスに基づいてデータベース２５が管理する内容を更新することを特徴とする。
【０１３７】
これにより、探索部２１が、それ以降に、端末装置３の検索要求に応じた所望の対象物を検索した場合、データベース２５を参照して迅速に、その新たな特定のサーチデバイス９ｂなどを経て所望の対象物を探索することができる。
【０１３８】
上記実施形態におけるリアルサーチシステム１００は、上述した構成に加えてさらに、サーバ５は、データベース２５が管理する内容を更新した場合、その内容を端末装置３に通知することを特徴とする。
【０１３９】
これにより、端末装置３は、データベース２５において更新がなされたことを直ちに把握することができるとともに、このデータベース２５から最新の情報を得ることができる。
【０１４０】
上記実施形態におけるリアルサーチシステム１００は、上述した構成に加えてさらに、サーバ５は、複数のサーチデバイス９ａ，９ｂ，９ｃに、各々定期的に対象物１１ａ，１１ｂ，１１ｃを探索させることを特徴とする。
【０１４１】
これにより、サーバ５は、恒常的に、各対象物１１ａ，１１ｂ，１１ｃがどのサーチデバイス９ａ，９ｂ，９ｃに対応しているかに関して最新の情報を把握しておくことができる。
【０１４２】
上記実施形態におけるリアルサーチシステム１００は、上述した構成に加えてさらに、データベース２５は、上記検索要求に応じた所望の対象物に対応させて、更新前のその特定のサーチデバイス９ａなどと、その新たな特定のサーチデバイス９ｂなどとを対応付けて管理しておくことを特徴とする。
【０１４３】
これにより、所望の対象物が移動された場合でも、その移動前の対象物１１ａ，１１ｂ，１１ｃの場所情報と移動後の対象物１１ａ，１１ｂ，１１ｃの場所情報とを管理し、この所望の対処物１１ａ，１１ｂ，１１ｃの移動履歴を正確に管理しておくことができる。
【０１４４】
上記実施形態におけるリアルサーチシステム１００は、上述した構成に加えてさらに、サーバ５は、各対象物１１ａ，１１ｂ，１１ｃに対応させた関連情報を管理するデータベース２５と、サーバ５による所望の対象物に対するアクセスがあった場合、上記データベース２５から、端末装置３に対してその所望の対象物に関する関連情報を提供する情報提供部２７とを有することを特徴とする。
【０１４５】
これにより、サーバ１１は、各対象物１１ａ，１１ｂ，１１ｃに対応させた関連情報を用意しておけば、端末装置３の検索要求に応じて、サーバ５による各対象物に対するアクセスがあった場合に、この端末装置３に、この対象物１１ａ，１１ｂ，１１ｃに対応させた関連情報を供与することができる。
【０１４６】
また、以上既に述べた以外にも、上記実施形態や各変形例による手法を適宜組み合わせて利用してもよい。
上述した図１５に示す物品情報ページでは、例えば関連情報との関連付けが多いものほど検索結果の上位に表示させるようにしてもよい。つまりこの物品情報ページでは、関連情報が多い対象物ほど物品情報がヒットしやすくなり表示順位が上位となるように表示される。
【０１４７】
端末装置３では、ＵＲＬが与えられれば、ＨＴＭＬに埋め込んだり、ブックマークに登録しておくことができる。なお、ＵＲＬは一意に決まるので、端末装置３は、そのＵＲＬをキャッシュしておけば、２回目以降はそのＵＲＬによる物品情報ページへのアクセスが速くすることができる。
【０１４８】
また上記実施形態では、上述した探索によって新たに発見された対象物のＵＲＬなどの位置情報とともに更新時間や見出しとしての物品名等、最小限の情報をいわゆるＲＳＳ（ＲＤＦ  Ｓｉｔｅ  Ｓｕｍｍａｒｙ）として構成し、更新情報として配信して提示するようにしてもよい。このＲＳＳの詳細については後述する。この位置情報は、上記実施形態のように、対象物が移動すれば、その移動によりＵＲＬなどが変化する。
【０１４９】
上述したサーバ５は、物品（上述した対象物に相当）のＵＲＬなどの位置情報が変わったタイミングで、ＲＳＳを作成することにより、ＲＳＳリーダーを備える端末装置３が、そのＲＳＳリーダーにＲＳＳのＵＲＬ（これ自体は例えば不変である）を登録しておけば、最新の物品情報（対象物の位置情報など）を自動的に取得することができる。このようにすると、探索によって新たに発見した対象物に関するＵＲＬなどの位置情報を表示できるので、対象物の追跡を行う上で便利となる。なおこの場合、サーチデバイスが作成した図１４のようなＨＴＭＬ自体がコンテンツに相当している。
【０１５０】
なお上述したＲＳＳとは、主に、サイトの更新情報やニュースの見出しや要約と、それらの情報の内容（コンテンツ）へのリンクを提示するのに用いられているものである。すなわちこのＲＳＳは「メタデータ」の集まりを表している。
【０１５１】
例えばＡｐｐｌｅ（登録商標）が提供しているソフトウェアｉＴｕｎｅｓ（登録商標）や音楽プレーヤーｉＰｏｄ（登録商標）で用いられる「ＰｏｄＣａｓｔ」（造語）も、この方法で音楽や映像の更新情報とコンテンツへのリンクを提示している。上記ＲＤＦとは「Ｒｅｓｏｕｒｃｅ  Ｄｅｓｃｒｉｐｔｉｏｎ  Ｆｒａｍｅｗｏｒｋ」の略で、（ネット上にある）リソースを記述するための規格（枠組み）を表している。そのＲＤＦを「サイトの要約」に利用するのが、上述したＲＳＳである。
【０１５２】
ＲＳＳの実体は、例えばＸＭＬ言語で記述されており、複数の更新情報を、一つのＲＳＳの中に記述することも可能である。例としては、あるホームページの中には、数々の「ＲＳＳ」という名称の付されたアイコンが配置されているものが存在している。一般のＷｅｂブラウザ上でこれをクリックすると、ＸＭＬの記述がそのまま表示される。ＨＴＭＬで記述されるホームページとは違って、ＲＳＳには文字の書式や画像の大きさ・位置などの表現方法を含んでいないので、そのまま上記ＸＭＬの記述内容が表示される。
【０１５３】
ＲＳＳは、一般のＷｅｂブラウザではＸＭＬを解釈できないが、ＲＳＳリーダー（フィードリーダー、ＲＳＳアグリゲータとも呼ばれている）という専用のソフトウェアで解釈できる。ＲＳＳリーダーは、ＲＳＳを入力されるとＸＭＬを解釈して、更新情報を知り、今自分が持っている情報との時間を比較して、まだ持っていない情報であったり、より新しい情報と判断すれば、新しい見出しや要約を表示し、同時に、リンク先のコンテンツを自動的にダウンロードする。
【０１５４】
例えば、ＲＳＳで更新を提示している、ある特定対象の情報を毎日取得する場合は、そのＲＳＳリーダーに、そのＲＳＳのＵＲＬ（これ自体は例えば不変である）を登録しておけば、定期的あるいは手動にて更新チェック、つまりＲＳＳをダウンロードして解釈及び更新判断が行われ、常に新しい情報内容を自動的にダウンロードして読むことができる。
【０１５５】
その他、一々例示はしないが、本発明は、その趣旨を逸脱しない範囲内において、種々の変更が加えられて実施されるものである。
【図面の簡単な説明】
【０１５６】
【図１】本実施形態におけるリアルサーチシステムの構成例を示すシステム構成図である。
【図２】サーチデバイスのハードウェア構成例を示すブロック図である。
【図３】無線タグに配置された無線タグ回路素子の構成例を示す図である。
【図４】図１に示すサーバにおける機能の構成例を示すブロック図である。
【図５】図１に示すサーチデバイスの機能の構成例を示すブロック図である。
【図６】対象物管理テーブルの構成例を示す図である。
【図７】リアルサーチシステムの動作例を示すシーケンスチャートである。
【図８】端末装置に表示された検索画面の一例を示す図である。
【図９】検索結果ページの一例を示す画面図である。
【図１０】図７に示すサーチ処理の具体的な手順の一例を示すフローチャートである。
【図１１】サーチデバイス巡回テーブルの構成例を示す図である。
【図１２】再サーチ処理の手順の一例を示すシーケンスチャートである。
【図１３】端末装置がサーチデバイスに対して物品情報を要求する手順の一例を示すシーケンスチャートである。
【図１４】サーチデバイスが生成したＨＴＭＬデータの一例を示す図である。
【図１５】端末装置に表示された物品情報ページの一例を示す画面図である。
【符号の説明】
【０１５７】
３                端末装置
５                サーバ（検索制御装置に相当）
９ａ              サーチデバイス（対象物探索装置に相当）
９ｂ              サーチデバイス（対象物探索装置に相当）
９ｃ              サーチデバイス（対象物探索装置に相当）
２１              探索部（探索手段に相当）
２３              動的付与部（動的付与手段に相当）
２５              データベース（関連付け管理手段、関連情報管理手段に相当）
２５ａ            対象物管理テーブル（関連付け管理手段に相当）
２７              情報提供部（情報提供手段に相当）
２９              アクセス制御部（アクセス制御手段に相当）
１００            リアルサーチシステム（対象物検索システムに相当）
【図１】
0005152562.tif 000002
【図２】
0005152562.tif 000003
【図３】
0005152562.tif 000004
【図４】
0005152562.tif 000005
【図５】
0005152562.tif 000006
【図６】
0005152562.tif 000007
【図７】
0005152562.tif 000008
【図８】
0005152562.tif 000009
【図９】
0005152562.tif 000010
【図１０】
0005152562.tif 000011
【図１１】
0005152562.tif 000012
【図１２】
0005152562.tif 000013
【図１３】
0005152562.tif 000014
【図１４】
0005152562.tif 000015
【図１５】
0005152562.tif 000016